(57)【要約】【課題】ガス遮断弁が故障すると、ガスメータで遮断事象が成立しても正常にガス流路を遮断することはできない。また、ボンベ側遮断弁が故障した場合、ガスメータで遮断状態が成立しない限り同様にガス流路は遮断できない。【解決手段】ガスメータ１２０で遮断事象が成立した場合、メータ無線モジュール１２４とボンベ側無線モジュール１１４を用いて無線通信を行い、ガス遮断弁１１１とボンベ側遮断弁１２１の両方を遮断させる。そして、安全が確認され、復帰信号を得た場合、再度無線通信を行い、ガス遮断弁とボンベ側遮断弁の両方を復帰させる。【選択図】図１
2008234542.tif 000002
【特許請求の範囲】
【請求項１】
ガスボンベに接続されたガス供給経路の途中にガス圧を調整するガス圧力調整器とガスメータを配置し、前記ガスメータを経由した後の配管に接続される複数のガス器具の使用状況を監視するとともに、複数の相手先と電話回線以外の通信回路を用いて直接送受信が可能な無線モジュールを搭載したガス器具監視装置であって、
ガスメータには、ガス流量を計測する流量計測手段と、異常時にガス流路を遮断するガス遮断弁と、前記流量計測手段の計測結果に基づき所定の処理を行って検針や残量管理およびガスの供給と使用が安全に行われるように監視する保安機能を有した制御回路と、複数の相手先と情報の送受信を行うメータ無線モジュールと、相手先に応じて通信周波数帯を切り替える通信切替手段と、駆動用の電池電源を備え、
前記メータ無線モジュールは、前記制御回路と一体的に構成して前記ガスメータ内に収納し、少なくとも基地局との通信周波数帯とガス圧調整器との通信周波数帯を有し、
前記ガス圧調整器には、所定のガス圧に調整するガス圧調整手段と、ガス供給経路を遮断するボンベ側遮断弁と、所定の通信周波数帯で送受信が可能なボンベ側無線モジュールと、駆動用の電池電源とを備え、
前記ガスメータは、このままガスを供給することが危険であると判定した場合、前記メータ無線モジュールから前記ボンベ側無線モジュールへ遮断命令を伝え、前記ガス遮断弁と前記ボンベ側遮断弁の両方を遮断する機能を有し、安全であることが確認された場合、再度メータ側無線モジュールから前記ボンベ側無線モジュールへ復帰命令を伝え、ガス遮断弁とボンベ側遮断弁の両方を復帰させるガス遮断装置。
【請求項２】
請求項１項に記載のガス監視装置の全てもしくは一部として、コンピュータを機能させるプログラム。
【発明の詳細な説明】
【技術分野】
【０００１】
本発明は、ガス事故を未然に防ぐガス遮断装置に関するものである。
【背景技術】
【０００２】
従来、この種のガス遮断システムは、図４に示すように、ガスメータ１２０が制御部１２３にて下流のガス器具１３１、１３２にガスを供給することが危険であると判定した場合、ガス遮断弁１２１のみ遮断を行う（例えば特許文献１参照）。
【０００３】
また、ガス圧調整器１１０は、下流のガスメータ１２０までガスを供給するにあたり、ボンベ側制御部１１３にて、異常を判定した場合、ボンベ側遮断弁１１１のみ遮断を行う（例えば、特許文献２参照）。
【特許文献１】特開昭５９−６９６１８号公報
【特許文献２】特開２００５−３３９４１６号公報
【発明の開示】
【発明が解決しようとする課題】
【０００４】
現在のガス遮断システムは、ガス圧調整器と双方向に通信するシステムを搭載していないため、ガスメータからガス圧調整器へ遮断および復帰の命令を伝えることは不可能であった。そのため、ガスメータとガス圧調整器は各々が正常および異常を判定する装置を有し、異常であると判定すれば、各々が搭載している遮断弁を遮断する仕組みになっている。
【０００５】
しかしながら、前記従来の構成では、ガスメータの遮断弁が故障した場合、ガスメータが異常を判定してもガス流路は遮断されないという課題があった。ガス圧調整器も同様の課題を有する。
【０００６】
本発明はかかる従来の課題に鑑み、ガスメータが異常と判断した場合、ガスメータと調整器の遮断弁を両方遮断する。また、調整器で異常を検知した場合も同様にガスメータの遮断弁も遮断することで、より安全性の高いガス遮断システムを提供することを目的とする。
【課題を解決するための手段】
【０００７】
前記課題を解決するために、本発明のガス遮断システムは、ガスメータが、このままガスを供給することが危険であると判定した場合、メータ無線モジュールからボンベ側無線モジュールへ遮断命令を伝え、ガス遮断弁とボンベ側遮断弁の両方を遮断する機能を有し、安全であることが確認された場合、再度メータ側無線モジュールから前記ボンベ側無線モジュールへ復帰命令を伝え、ガス遮断弁とボンベ側遮断弁の両方を復帰させる。
【０００８】
それによれば、前記ガス遮断弁が故障した場合においてもボンベ側遮断弁でガス流路を遮断することができる。また、前記ボンベ側遮断弁が故障している場合においてもガス遮断弁でガス流路を遮断することができることが可能となり、より安全性の高いガス遮断システムを提供することができる。
【発明の効果】
【０００９】
本発明のガス遮断装置は、ガス遮断弁が故障した場合においてもボンベ側遮断弁でガス流路を遮断することができる。また、前記ボンベ側遮断弁が故障している場合においてもガス遮断弁でガス流路を遮断することができることが可能となり、より安全性の高いガス
遮断システムを提供することができる。
【発明を実施するための最良の形態】
【００１０】
第１の発明は、ガスボンベに接続されたガス供給経路の途中にガス圧を調整するガス圧力調整器とガスメータを配置し、前記ガスメータを経由した後の配管に接続される複数のガス器具の使用状況を監視するとともに、複数の相手先と電話回線以外の通信回路を用いて直接送受信が可能な無線モジュールを搭載したガス器具監視装置であって、ガスメータには、ガス流量を計測する流量計測手段と、異常時にガス流路を遮断するガス遮断弁と、前記流量計測手段の計測結果に基づき所定の処理を行って検針や残量管理およびガスの供給と使用が安全に行われるように監視する保安機能を有した制御回路と、複数の相手先と情報の送受信を行うメータ無線モジュールと、相手先に応じて通信周波数帯を切り替える通信切替手段と、駆動用の電池電源を備え前記メータ無線モジュールは、前記制御回路と一体的に構成して前記ガスメータ内に収納し、少なくとも基地局との通信周波数帯とガス圧調整器との通信周波数帯を有し、前記ガス圧調整器には、所定のガス圧に調整するガス圧調整手段と、ガス供給経路を遮断するボンベ側遮断弁と、所定の通信周波数帯で送受信が可能なボンベ側無線モジュールと、駆動用の電池電源とを備え、前記ガスメータは、このままガスを供給することが危険であると判定した場合、前記メータ無線モジュールから前記ボンベ側無線モジュールへ遮断命令を伝え、前記ガス遮断弁と前記ボンベ側遮断弁の両方を遮断する機能を有し、安全であることが確認された場合、再度メータ側無線モジュールから前記ボンベ側無線モジュールへ復帰命令を伝え、ガス遮断弁とボンベ側遮断弁の両方を復帰させることを特徴としたものである。
【００１１】
そして、ガス遮断弁もしくはボンベ側遮断弁が故障した場合、もう一方の遮断弁によりガス流路を遮断することが可能となりより安全性を高めることができる。
【００１２】
以下、本発明の実施の形態について、図面を見ながら説明する。なお、この実施の形態によって本発明が限定されるものではない。
【００１３】
（実施の形態１）
図１は、本実施の形態における高圧ガス用ガスメータのガス遮断システムである。図１において、ガス遮断システムは、ガスボンベ１００に蓄えられている液状のガスが、ガス流路１０１を通過してガス圧調整器１１０で低圧に調整し気化され、ガス流路１１６を通過してガスメータ１２０にガスを供給する。ガス圧調整器１１０は、ガス圧力計測部１１２にてガス圧を計測し、ボンベ側制御部１１３にて異常な圧力であると判定された場合、ガス流路１１６を遮断するボンベ側遮断弁１１１と、ガスメータ１２０と双方向に通信可能なボンベ側無線モジュール１１４と、これらに電力を供給する電源部１１５が内蔵されている。
【００１４】
ガスメータ１２０にはガス流路１２６を遮断可能な遮断弁１２１と、ガスの流量を検出する流量検出部１２２と、ボンベ側無線モジュール１１４と通信可能なメータ無線モジュール１２４と、動作を制御する制御部１２３と、これらに電力を供給する電源部１２５が内蔵されている。
【００１５】
ガスメータ１２０は、流量判定部１２２にてガスの使用状態を異常使用であると判断した場合や、図にない地震センサ、ガス圧力センサ、ガス警報器、一酸化炭素センサなどのセンサの状況を監視し危険状態と判断した場合は、ガス遮断弁１２１によりガス流路１２６を遮断する。ガスの使用状態が異常使用でない、または危険状態でないと判断した場合は下流のガス器具１３１、１３２などにガスを供給する。
【００１６】
以上のように構成されたガス遮断システムについて、以下その動作、作用を説明する。
【００１７】
ガス流路１２６をガスが流れると、流量検出部１２２は流量を検出し流量信号Ａを出力する。制御部１２３は、その流量信号Ａが異常流量を示すものであった場合、ガス遮断弁１２１を遮断させる。且つ、制御部１２３は、ボンベ側遮断弁１１１を遮断させる有線データＢを作成し、メータ無線モジュール１２４に送信する。メータ無線モジュール１２４は、有線データＢを受信すると、有線データＢを無線データＣに変換し、無線通信によってボンベ側無線モジュール１１４に送信する。
【００１８】
ボンベ側無線モジュール１１４は、データＣを受信すると、無線データＣを有線データＤに変換し、ボンベ側制御部１１３にデータＤを送信する。ボンベ側制御部１１３は、データＤを受信すると、ボンベ側遮断弁１１１を遮断させる。また、圧力測定部１１１はガス流路１１６の圧力を測定し、圧力信号Ｅをボンベ側制御部１１３に出力する。ボンベ側制御部１１３において、圧力が異常であると判定された場合、ボンベ側遮断弁１１１を遮断する。且つ、ボンベ側制御部１１３は、ガス遮断弁を遮断させる有線データＦを作成し、ボンベ側無線モジュール１１４へ送信する。
【００１９】
ボンベ側無線モジュール１１４は、有線データＦを受け取ると、有線データＦを無線データＧに変更し、無線通信によってメータ無線モジュール１２４に送信する。メータ無線モジュール１２４は、無線データＧを有線データＨに変換し、制御部１２３にデータを送信する。制御部１２３は、有線データＨを受信すると、メータ遮断弁１２１を遮断させる。
【００２０】
両方の遮断弁を遮断後、ガス集中監視センターやガス事業者および消費者が安全を確認し、ガスメータ１２０に対して遮断弁の復帰信号を出力したり、ガスメータ１２０が自身で安全であることを判定して遮断弁の復帰信号を出力したりすると、上記の遮断の場合と同様に相手先の遮断弁を復帰させるデータを作成し、相手先の遮断弁を復帰させる。
【００２１】
このようにして、ガス圧調整器１１０とガスメータ１２０のどちらか一方で遮断事象が成立すると、両方の遮断弁を遮断させ、復帰信号が得られると、両方の遮断弁を復帰させる。
【００２２】
次に、ガス圧調整器１１０とガスメータ１２０の双方向通信による両遮断弁を遮断、復帰する処理を図２、図３に示すフローチャートとともに説明する。図２は、ガス圧調整器１１０側のフローチャートである。図２において、ガスメータ１２０側の圧力が異常であると判定され遮断事象が成立した場合、ボンベ側遮断弁１１１を遮断し（ステップ２０１）、ボンベ側無線モジュール１１４に遮断信号を出力する（ステップ２０２）。
【００２３】
そして、ボンベ側無線モジュール１１４はメータ無線モジュール１２４にガスメータ１２０を遮断させる何らかのデータを送信する（ステップ２０３）。もし、ボンベ側無線モジュールがメータ無線モジュールからデータを受信した場合は、受信データがガス圧調整器を遮断させるデータかを判定する（ステップ２０４）。遮断させるデータならばボンベ側遮断弁を遮断させる（ステップ２０５）。遮断させるデータでないならば、受信データがガス圧調整器を復帰させるデータかを判定する（ステップ２０６）。復帰させるデータならばボンベ側遮断弁を復帰させる（ステップ２０７）。
【００２４】
なお、ボンベ側遮断弁を遮断させてから無線モジュールでデータを送信する、受信データが遮断かどうかを確認してから復帰かどうかを確認する等の順番は逆でもよい。つまり、遮断事象が成立したら、無線モジュールでデータを送信した後にボンベ側遮断弁を遮断する。また、受信データは、復帰かどうかを確認した後に遮断かどうかを確認する、等でもよい。
【００２５】
図３は、ガスメータ側のフローチャートである。図３において、ガスメータの遮断事象が成立した場合と無線通信による割込み処理が発生した場合においては、図２と同様の処理になる。ただし、遮断弁はガス遮断弁であり、送信する無線モジュールはメータ無線モジュールとなる。ガス監視センターやガス事業者、消費者およびガスメータが安全であると確認してガス遮断弁を復帰するように復帰信号をガスメータに入力して復帰事象が成立した場合、ガス遮断弁を復帰し（ステップ３０１）、メータ無線モジュールに復帰信号を出力する（ステップ３０２）。復帰信号を受け取ったメータ無線モジュールは、ボンベ側遮断弁を復帰させるデータをボンベ側無線モジュールに送信する（ステップ３０３）。
【００２６】
なお、無線モジュールで遮断を示すデータを受信しても、予め遮断弁が遮断状態であれば、それ以上遮断駆動しない等の処理を追加することにより、無駄な電力の消費を抑えることができる。無線モジュールで復帰を示すデータを受信した場合においても同様である。
【００２７】
以上のように第１の実施の形態のガス遮断システムによれば、ガスメータまたはガス圧調整器どちらか一方で遮断事象が成立した場合、無線通信を用いてガス遮断弁およびボンベ側遮断弁の両方を遮断しようとするため、一方の遮断弁が故障した場合においても遮断する可能性は高まり、より安全なガス遮断システムを提供することができる。
【産業上の利用可能性】
【００２８】
以上のように、本発明にかかるガス遮断装置は、膜式、超音波センサ、熱線式センサ、フルイディックセンサ等を用いて配管内を流れる各種ガス媒体、ＬＰガス、都市ガス、水素ガスの気体計測、又超音波センサ等を用いて水などの液体を計測する水道メータ等の用途に適用できる。
【図面の簡単な説明】
【００２９】
【図１】本発明の実施の形態１のガス遮断システムのブロック図
【図２】本発明の実施の形態１のガス圧調整器のフローチャート
【図３】本発明の実施の形態１のガスメータのフローチャート
【図４】従来のガス遮断システムのブロック図
【符号の説明】
【００３０】
１００  高圧ガスボンベ
１０１  ボンベからガス圧調整器までのガス流路
１１０  ガス圧調整器
１１１  ボンベ側遮断弁
１１２  圧力計測部
１１３  ボンベ側制御部
１１４  ボンベ側無線モジュール
１１５  電源部
１１６  ガス圧調整器からガスメータまでのガス流路
１２０  ガスメータ
１２１  ガス遮断弁  
１２２  流量計測部
１２３  制御部
１２４  メータ無線モジュール  
１２５  電源部
１２６  ガスメータからガス器具までのガス流路
１３０  住宅
１３１  ガス器具１
１３２  ガス器具２
【図２】
2008234542.tif 000003
【図３】
2008234542.tif 000004
【図１】
2008234542.tif 000005
【図４】
2008234542.tif 000006